(57)【要約】【課題】決済メディアが保有している複数の決済種類をすべて読み出し、利用客が決済種類を選択できるようにする決済方法を提供する。【解決手段】利用客が所持する決済メディアに登録された複数の決済種類を読み取り、読み取った複数の決済種類と取引可能金額の一覧を画面に表示し、利用客が表示された情報をもとに取引開始前に複数の決済種類を選択する。決済端末および非接触ＩＣカードリーダライタは、利用客によって選択された順序に基づき、決済メディアでの取引処理を行う。【選択図】図１
2008310457.tif 000002
【特許請求の範囲】
【請求項１】
複数の決済種類を備えた決済メディアを読み取るカードリーダライタ部と、カードリー
ダライタ部で読み取った情報を表示する表示部と、カードリーダライタ部で読み取った複
数の決済種類から決済種類を選択させる選択部と、を備えた主に決済メディア利用客側に
ある非接触ＩＣカードリーダライタと、前記非接触ＩＣカードリーダライタの制御と、係
員向けガイダンスなどを表示する表示部と、レシート印字をする印字部などを備えた決済
端末において、前記非接触ＩＣカードリーダライタの表示部の表示面に、決済メディアか
ら読み出した複数の選択可能な決済種類および取引可能金額を表示し、前記選択手段で利
用客に希望する決済種類を選択させ、選択された決済種類で決済処理を行う決済端末。
【請求項２】
前記取引可能金額を参照し、一決済種類では残高不足が発生するときは、利用客に複数
種類の決済種類を決済処理を行う前に選択させ、選択された順で決済処理を行う請求項１
記載の決済端末。
【請求項３】
前記決済メディアから複数の決済種類を読み出したときに、利用客が選択した決済種類
の優先順位を非接触ＩＣカードリーダライタで決済メディアの専用エリアに書き込むこと
ができる請求項１記載の決済端末。
【請求項４】
前記決済メディアから複数の決済種類を読み出したときに、決済メディアに登録された
優先順位に従い非接触ＩＣカードリーダライタの表示部に決済種類を表示する請求項１記
載の決済端末。
【発明の詳細な説明】
【技術分野】
【０００１】
本発明は、非接触ＩＣカードリーダライタを備え、前記非接触ＩＣカードリーダライタ
で読み取った情報をもとに表示部に決済種類を表示し、選択部で利用客が選択し、選択さ
れた取引方法により決済処理を行う決済端末に関するものである。
【背景技術】
【０００２】
近年、キャッシュレス化に伴い、電子マネーやクレジット機能がついた非接触型ＩＣカ
ードやモバイル端末などの決済メディアが急速に普及している。また、店舗等ではさまざ
まな決済種類に対応できる非接触式ＩＣカードリーダライタが普及してきている。
【０００３】
一台で複数種の電子マネーサービスに対応することが可能な電子マネー端末において、
複数種の電子マネーサービスを備えた決済メディアで決済処理を行う電子マネーサービス
を選択するときに、決済メディアのＩＣチップに記憶されている電子マネーサービスのみ
を選択手段で選択できるようにし、利用者が選択した電子マネーサービスで決済処理を行
う電子マネー端末が提供されている（特許文献１参照）。
【０００４】
また、複数の決済種類を備えた決済メディアで決済処理を行うとき、決済方法を決済メ
ディアに記録された複数種類の決済順序に基づき自動選択し、決済処理を行う決済カード
処理装置が提案されている（特許文献２参照）。この決済メディア処理装置で必要とする
情報は、専用の装置を使用して決済メディアに登録するものである。
【０００５】
【特許文献１】特開２００６−３０１７８０号公報
【特許文献２】特開平１１−２５９５７７号公報
【発明の開示】
【発明が解決しようとする課題】
【０００６】
前記従来例によれば、特許文献１では、選択可能な決済種類が電子マネーに限定されて
いる。
【０００７】
また、特許文献２では、取引時の利用客による決済種類の選択という行為がないためス
ムーズに取引処理が行われるが、事前に決済種類の優先順位を決済メディアに書き込むた
めの専用端末が必要であり、また決済順序も専用端末で書き換えない限り固定であるため
、支払い時の決済種類の変更が容易に出来ないことにある。
【０００８】
本発明の目的は、複数の決済種類を保有する決済メディアでの取引処理で、決済メディ
アを保有する利用客が自由にその決済種類を選択でき、また利用客と係員のやり取りをで
きるだけ簡略化し、決済処理をスムーズに行うことにある。
【課題を解決するための手段】
【０００９】
前述の課題を解決するために、本発明は、決済メディアで決済処理を行う時、決済メデ
ィアのＩＣチップに記憶されているクレジット、電子マネー、ポイントなどの複数の決済
種類を読み取って、表示部に登録されている決済種類と取引可能金額を表示し、選択部で
利用客が選択でき、一決済種類では残高不足となるような場合は、取引開始前に複数種類
の決済種類を利用客に選択させ、また、選択された決済種類および順位を決済メディアに
書込むことが出来るようにした。
【００１０】
上述のように決済可能金額を表示するようにしたことで、おのおのの決済種類での取引
可能金額が一目で確認できる。また、選択部を利用客が操作することにより利用客の決済
種類の選択がスムーズにおこなわれる。
【００１１】
上述のようにより、選択された決済種類および順位を決済メディアの専用エリアに書込
むことができるようにしたことで、使用頻度の高い決済種類を表示部の上部に表示して、
利用客が選択しやすくなる。
【発明の効果】
【００１２】
決済メディアが記憶している決済種類、決済可能金額が一目で確認でき、利用者が決済
処理を行う前に決済メディアが有する決済種類から複数選択できる。
【発明を実施するための最良の形態】
【００１３】
以下、図１から図４を参照して、本発明の内容を説明する。
【００１４】
先ず、図１は、決済端末と非接触ＩＣカードリーダライタの構成図であり、図３は非接
触ＩＣカードリーダライタの表示部への決済種類および取引可能金額の表示例図であり、
図４は支払金額および選択された決済種類およびその取引金額の決済端末の表示部への表
示例図である。本図およびフローチャートを用いて、概略を説明する。
【００１５】
非接触ＩＣカードリーダライタ１００は、決済端末２００と接続されている。非接触Ｉ
Ｃカードリーダライタは、非接触型の決済メディアのＩＣチップに読み書きする装置であ
り、選択部１０１、表示部１０２、リーダライタ部１０３などで構成されている。また、
決済端末はクレジットや電子マネー、ポイントなどの要求する種々の取引を実行する装置
であり、表示部２０１、入力部２０２、印字部２０３、制御部２０４などで構成されてい
る。制御部２０４は、ＣＰＵ、メモリ等のハード構成と、プログラム、データ等のソフト
構成とから成り、各種処理、取引を制御する。
【００１６】
以下に各部位の説明を行う。まず、決済メディア１０とはＩＣチップを内蔵した非接触
型のＩＣカードやモバイル端末の総称である。クレジットや電子マネー、ポイントなどで
の決済処理を行うことができる。
【００１７】
決済端末の表示部２０１は、係員が決済端末を扱う際の操作の誘導画面を表示したり、
決済端末の動作状況を表示する機構である。
【００１８】
入力部２０２は、係員が決済種類を選択したり、「取引」「残高照会」「取消」などの
業務を選択したり、取引金額などを入力したりする機構である。
【００１９】
印字部２０３は、取引した内容を明細票に印字する機構である。
【００２０】
一方、非接触ＩＣカードリーダライタのリーダライタ部１０３は利用客のかざした決済
メディアへのリード／ライトを行う機構である。
【００２１】
表示部１０１は、リーダライタ部１０３が読み出した情報などを表示する機構である。
【００２２】
選択部１０２は、利用客が決済種類を選択する機構である。
【００２３】
図１は決済端末と非接触ＩＣカードリーダライタの構成図である。決済メディア１０の
ＩＣチップには、クレジットや電子マネー、ポイントなどの複数の決済種類の情報を管理
している。利用客がリーダライタ部１０３に決済メディアをかざした時、リーダライタ部
は、登録されている決済種類の読み出しと、優先順位、電子マネーにおいては、残高の照
会を行い、表示部１０２に決済種類と取引可能金額を表示する。
【００２４】
次に利用客が決済メディアを用いて、決済端末で取引する場合の取引フローを、図を用
いて説明する。図２は決済メディアを利用した決済端末での取引処理フローの一例を示す
。また、 図３、図４は、非接触ＩＣカードリーダライタで読み出した情報を表示部に表
示している画面の一例です。また、図３は利用客が非接触ＩＣカードリーダライタ側で確
認する画面、図４は、利用客が選択した内容を係員が決済端末側で確認する画面のイメー
ジ図を示す。
【００２５】
まず、決済端末２００の表示部２０１には、決済メニューが表示されており、係員は入
力部２０２で「非接触ＩＣカード」取引を選択（Ｓ１１）すると、決済端末の制御部２０
４は表示部２０１および非接触ＩＣカードリーダライタ１００の表示部１０２に、決済メ
ディアをかざす指示画面を表示するとともに、リーダライタ部１０３に決済メディア１０
を読み出す命令を出す。利用客が決済メディア１０をリーダライタ部１０３にかざすと、
リーダライタ部は決済メディア１０のＩＣチップから登録されている決済種類および各種
情報を読み出し（Ｓ１２）、決済端末の制御部２０４は、非接触ＩＣカードリーダライタ
の表示部１０２および決済端末の表示部２０１に、支払金額および利用客が選択した決済
種類と取引金額を表示する（Ｓ１３）（図３）（図４）。このときの表示部１０２への表
示順は、決済メディアに登録されている決済種類の優先順位の順とし、例えば、「クレジ
ットＡ」「クレジットＢ」「電子マネーＡ」「電子マネーＢ」など、かざされた決済メデ
ィア１０に登録されている各種決済種類とそれぞれの取引可能金額が表示される。
【００２６】
次に利用客が、取引可能な決済種類の中から取引する決済手段を選択部１０１のボタン
を押下し決定する（Ｓ１４）と、その選択を選択部１０１が検知することで選択された情
報を決済端末の制御部２０４に通知し、制御部２０４は、取引可能金額が支払金額に達し
ているかを演算し（Ｓ１５）、決済端末の表示部２０１に選択された決済種類とその決済
種類での支払金額を表示する。Ｓ１５で演算した結果が支払金額に達していないときは、
Ｓ１４からＳ１５の処理を支払金額に達するまで繰り返す。また、表示部２０１には、選
択された決済種類とその決済種類での支払金額をすべて表示する。
【００２７】
続いて、制御部２０４は表示部１０２および表示部２０１に決済メディアをかざす指示
画面を表示し、制御部２０４は、リーダライタ部１０３に優先順位に従い決済種類を指定
して決済メディアのリード指示を出す。リーダライタ部１０３は決済メディアのかざし待
ち状態で待機する。次に利用客が決済メディアをかざすと、リーダライタ部１０３は、制
御部２０４から指示された金額の取引を行う（Ｓ１６）。複数決済種類が指定されている
場合は、Ｓ１６からＳ１７の処理を繰り返す。制御部２０４は、リーダライタ部１０３に
、今回指定された決済種類の取引順序を優先順位として決済メディアにライト指示を出し
、リーダライタ部は、決済種類および優先順位を決済メディア１０に書き込む（Ｓ１８）
。最後に、制御部２０４は印字部２０３に対し、明細票を印字する支持を出す。
【００２８】
ここでは、決済端末と非接触ＩＣカードリーダライタは別装置としているが、この二つ
の装置が一体型となっていてもよい。また、非接触型の決済メディアのみならず、接触型
の決済メディアが保有している決済種類を利用客が選択できる決済種類に加えることもで
きる。
【図面の簡単な説明】
【００２９】
【図１】決済端末と非接触ＩＣカードリーダライタの構成図。
【図２】非接触ＩＣカード決済時のフローチャート。
【図３】非接触ＩＣカードリーダライタ表示部の表示一例。
【図４】決済端末表示部の表示一例。
【符号の説明】
【００３０】
１０…決済メディア、１００…非接触ＩＣカードリーダライタ、１０１…選択部（非接
触ＩＣカードリーダライタ）、１０２…表示部（非接触ＩＣカードリーダライタ）、１０
３…リーダライタ部（非接触ＩＣカードリーダライタ）、２００…決済端末、２０１…表
示部（決済端末）、２０２…入力部（決済端末）、２０３…印字部（決済端末）、２０４
…制御部（決済端末）。
【図１】
2008310457.tif 000003
【図２】
2008310457.tif 000004
【図３】
2008310457.tif 000005
【図４】
2008310457.tif 000006